(57)【要約】【課題】ハウジングのうち導電部材が埋め込まれる部分に、容易に肉抜きを設けることが可能なコネクタを提供する。【解決手段】複数の導電部材４０がハウジング２０にインサート成形されたコネクタＣであり、前記導電部材４０のうち少なくとも前記ハウジング２０に埋め込まれる埋設部４３は、すべての前記導電部材４０において同一形状の板状をなすすとともに、その板厚方向の位置が互いに揃うように配置されている。これにより、導電部材４０のうちハウジング２０に埋め込まれる埋設部４３がシンプルな配置となっているから、ハウジング２０のうち導電部材４０が埋め込まれる部分に、容易に肉抜きを設けることができる。【選択図】図５
2015090832.tif 000002
【特許請求の範囲】
【請求項１】
複数の導電部材がハウジングにインサート成形されたコネクタであり、
前記導電部材のうち少なくとも前記ハウジングに埋め込まれる埋設部は、すべての前記導電部材において同一形状の板状をなすすとともに、その板厚方向の位置が互いに揃うように配置されているコネクタ。
【請求項２】
前記コネクタは、機器が収容されたケースに固定される機器用コネクタであり、
前記導電部材は、前記機器側に備えられた端子金具と接続可能な機器側接続部と、前記ケースの外部に備えられた端子金具と接続可能な外部側接続部と、を備え、
前記導電部材は、前記機器側接続部、前記外部側接続部を含む略全体が平板状をなしている請求項１に記載のコネクタ。
【請求項３】
前記コネクタは、機器が収容されたケースに固定される機器用コネクタであり、
前記導電部材は、前記機器側に備えられた端子金具と接続可能な機器側接続部と、前記ケースの外部に備えられた端子金具と接続可能な外部側接続部と、を備え、
すべての前記導電部材において、前記機器側接続部、前記外部側接続部を含む略全体が同一形状とされている請求項１または請求項２に記載のコネクタ。
【発明の詳細な説明】
【技術分野】
【０００１】
本発明は、コネクタに関する。
【背景技術】
【０００２】
従来、複数の導電部材がハウジングにインサート成形されたコネクタが知られている。例えば、下記特許文献１に記載のコネクタは、３本のバスバーが、ハウジングの幅方向に並べられてインサート成形されている。バスバーの両端部は、それぞれ相手側端子金具にボルト締結される締結部とされ、その間の部分がハウジングに埋め込まれている。３本のバスバーのうち幅方向の両端に配置される一対のバスバーは、一方の締結部が他の部分に対して略直角に屈曲されたＬ字型をなしている。中央に配置される一本のバスバーは、一方の締結部が略直角に屈曲されるとともに、ハウジングに埋め込まれる部分が略直角に２度曲げされた形状をなしている。
【先行技術文献】
【特許文献】
【０００３】
【特許文献１】特開２０１２−１９５０６９号公報
【発明の概要】
【発明が解決しようとする課題】
【０００４】
上記のような構成のコネクタにおいては、両端に配されるバスバーと中央に配されるバスバーとで、ハウジングに埋め込まれた部分が異なる形状をなし、複雑な配置となっている。このため、ハウジングのうち導電部材が埋め込まれる部分に、肉抜きを設けることが容易ではなかった。
【０００５】
本発明は上記のような事情に基づいて完成されたものであって、ハウジングのうち導電部材が埋め込まれる部分に、容易に肉抜きを設けることが可能なコネクタを提供することを目的とする。
【課題を解決するための手段】
【０００６】
本発明のコネクタは、複数の導電部材がハウジングにインサート成形されたコネクタであり、前記導電部材のうち少なくとも前記ハウジングに埋め込まれる埋設部は、すべての前記導電部材において同一形状の板状をなすすとともに、その板厚方向の位置が互いに揃うように配置されているものである。
このような構成によれば、導電部材のうちハウジングに埋め込まれる埋設部がシンプルな配置となっているから、ハウジングのうち導電部材が埋め込まれる部分に、容易に肉抜きを設けることができる。
【０００７】
また、前記コネクタは、機器が収容されたケースに固定される機器用コネクタであり、前記導電部材は、前記機器側に備えられた端子金具と接続可能な機器側接続部と、前記ケースの外部に備えられた端子金具と接続可能な外部側接続部と、を備え、前記導電部材は、前記機器側接続部、前記外部側接続部を含む略全体が平板状をなしているものとしてもよい。
このような構成によれば、導電部材の形状が全体としてシンプルであるから、ハウジングのうち導電部材が埋め込まれる部分に、容易に肉抜きを設けることができる。
【０００８】
また、前記コネクタは、機器が収容されたケースに固定される機器用コネクタであり、前記導電部材は、前記機器側に備えられた端子金具と接続可能な機器側接続部と、前記ケースの外部に備えられた端子金具と接続可能な外部側接続部と、を備え、すべての前記導電部材において、前記機器側接続部、前記外部側接続部を含む略全体が同一形状とされているものとしてもよい。
このような構成によれば、部品点数を減らすことができるから、コストの低減を図ることができる。
【発明の効果】
【０００９】
本発明によれば、ハウジングのうち導電部材が埋め込まれる部分に、容易に肉抜きを設けることが可能なコネクタを提供することができる。
【図面の簡単な説明】
【００１０】
【図１】本実施形態におけるコネクタを正面側から見た斜視図
【図２】コネクタを背面側から見た斜視図
【図３】コネクタの正面図
【図４】コネクタの背面図
【図５】コネクタの断面図であって、図３のＡ−Ａ位置における断面に相当する断面図
【図６】コネクタの平面図
【図７】コネクタの底面図
【発明を実施するための形態】
【００１１】
＜実施形態＞
以下、本発明を具体化した一実施形態について、図１〜図７を参照しつつ詳細に説明する。
本実施形態におけるコネクタＣは、図示しないモータ等の機器を内部に収容した金属製のケースに取り付けられ、機器に備えられた機器側端子金具Ｔに電気的に接続される機器用コネクタである。
【００１２】
機器側端子金具Ｔは、図５に示すように、全体としてＬ字型に屈曲されたものであり、機器側に備えられた電線Ｗの端末部に固着されている。機器側端子金具Ｔは、コネクタＣに備えられた後述する導電板（導電部材）４０に、ボルト締めにより接続される。
【００１３】
また、コネクタＣには、電源側に接続された図示しない電源側コネクタが接続可能とされている。電源側コネクタは、インバータなどの電力を供給する電源供給装置からケースに向けて配設された電線の端末部に設けられたものであり、電源側コネクタに備えられた電源側端子金具（ケースの外部に備えられた端子金具）が、ボルト締めにより導電板４０に接続される。
【００１４】
以下、各構成部材において、図１の上側（電源側コネクタが接続される側）を上方、下側（機器側端子金具Ｔが接続される側）を下方とし、また、図１の右手前側を前方、左奥側を後方として説明する。
【００１５】
コネクタＣは、ケースに取り付け固定される金属板１０を備えている。
金属板１０は、図６に示すように、全体として、ケースの外面に沿って広がる略方形の平板状をなし、その四隅に取付孔１１が設けられている。この取付孔１１に図示しない固定ボルトを挿通してケースに締め付けることで、コネクタＣがケースに取り付け固定される。
【００１６】
金属板１０の略中央には、図５に示すように、その板厚方向にハウジング２０を貫通させる開口部１２が設けられている。開口部１２は、左右方向に長い略長方形をなしている。なお、金属板１０の外周縁には、下側に屈曲された形態の曲げ部１３が設けられている。
【００１７】
金属板１０には、インサート成形によりハウジング２０が一体に形成されている。
ハウジング２０は、金属板１０の下面に沿って配されるフランジ部２１を備えている。フランジ部２１は、金属板１０よりも一回り小さくて薄い板状をなし、開口部１２の周縁部を覆うように配される。
【００１８】
フランジ部２１の周縁部には、図７に示すように、環状をなすパッキン２２が装着され、金属板１０がケースにボルト締結されることで、ケースとフランジ部２１とがパッキン２２を介してシール状態となる。
【００１９】
ハウジング２０は、電源側コネクタが接続される電源側ハウジング２０Ｄと、機器側端子金具Ｔが接続される機器側ハウジング２０Ｋとを備えている。
電源側ハウジング２０Ｄは、図１１に示すように、全体として左右方向に長い箱形状をなし、金属板１０の開口部１２から上側に突出している。電源側ハウジング２０Ｄの上面には、上方から電源側コネクタが嵌合可能なコネクタ嵌合口２３が開口されている。
【００２０】
電源側ハウジング２０Ｄの内部には、図示しないナットが収容される電源側ナット収容部２４が設けられている（図６参照）。電源側ナット収容部２４は、左右方向に３つ並んで設けられている。各電源側ナット収容部２４には、軸線が前後方向となる向きでナットが圧入される。
【００２１】
電源側ハウジング２０Ｄの前面には、導電板４０と電源側端子金具とのボルト締結作業を行うために工具などを挿入する作業口２５が開口して形成されている。作業口２５は、導電板４０の電源側接続部４１が一括して前方に露出される大きさとされている。なお、作業口２５は、ボルト締結後に装着される図示しないカバーにより塞がれる。
【００２２】
機器側ハウジング２０Ｋは、金属板１０の開口部１２から下側に突出して設けられ、コネクタＣがケースに固定された状態ではケースの内部に収容される。
機器側ハウジング２０Ｋには、図示しないナットが収容される機器側ナット収容部２６が左右方向に３つ並んで設けられている（図７参照）。各機器側ナット収容部２６を構成する一対の側壁２６Ｓおよび前壁２６Ｍは、フランジ部２１から下方に突出して設けられている（図５参照）。
【００２３】
機器側ナット収容部２６の前壁２６Ｍには、図３に示すように、下端から上方に向かって切欠き部２７が形成されている。切欠き部２７は、前壁２６Ｍの下端から導電板４０の挿通孔Ｈの位置まで延び、その上端部は、挿通孔Ｈと同軸の半円形状とされている。各機器側ナット収容部２６には、軸線が前後方向となる向きでナットが圧入される。
【００２４】
機器側ハウジング２０Ｋのうち機器側ナット収容部２６の上側には、図５に示すように、肉抜き２８が設けられている。肉抜き２８は、機器側ナット収容部２６の一対の側壁２６Ｓおよび前壁２６Ｍを構成する壁の上側部分と、後述する前保持部３３Ｍとによって囲まれてなる凹部である。
【００２５】
機器側ハウジング２０Ｋは、導電板４０に接続される機器側端子金具Ｔの連れ回りを防ぐ回り止め部２９を備えている。回り止め部２９は、機器側端子金具Ｔの両側縁および上端縁に沿って立つ壁である。
【００２６】
機器側ハウジング２０Ｋは、隣り合う機器側の電気的な接続部分を絶縁する絶縁壁３１を備えている。絶縁壁３１は、隣り合う機器側ナット収容部２６の間に設けられている。絶縁壁３１は、図５に示すように、全体として略方形をなし、機器側端子金具Ｔの全体を覆う大きさとされている。なお、絶縁壁３１の下端における前後両角部は、斜めに傾斜する傾斜縁部３２とされている。
【００２７】
機器側ハウジング２０Ｋは、フランジ部２１から下方に突出して導電板４０を保持する保持突部３３を備えている。保持突部３３は、導電板４０の前面側に配される部分（以下、前保持部３３Ｍと称する）と、導電板４０の後面側に配される部分（以下、後保持部３３Ｕと称する）とを備えている。
【００２８】
後保持部３３Ｕは、前保持部３３Ｍよりも広範囲にわたって導電板４０を覆うものとされ、後保持部３３Ｕの下端は、前保持部３３Ｍの下端よりも下方に位置している。なお、後保持部３３Ｕの下端は、回り止め部２９のうち機器側端子金具Ｔの上端縁に沿って立つ部分を構成している。
【００２９】
ハウジング２０には、複数（本実施形態では３本）の導電板４０が左右方向に並んだ状態でインサート成形されている。
導電板４０は、導電性の良い金属板をプレス加工して所定の形状に打ち抜いた後、所定の曲げ加工を施すことにより形成されている。導電板４０は、図３に示すように、全体として上下方向に長い板状をなし、その一端部は、電源側端子金具が接続される電源側接続部（外部側接続部）４１とされ、他端部は、機器側端子金具Ｔが接続される機器側接続部４２とされている。また、導電板４０のうち電源側接続部４１と機器側接続部４２との間の部分は、ハウジング２０に埋め込まれる埋設部４３とされている。
【００３０】
導電板４０は、機器側接続部４２、電源側接続部４１および埋設部４３を含む略全体が平板状をなしている。また、すべての導電板４０において、機器側接続部４２、電源側接続部４１および埋設部４３を含む略全体が同一形状とされている。
【００３１】
電源側接続部４１および機器側接続部４２には、それぞれ電源側端子金具および機器側端子金具Ｔとボルト締めにより接続されるべく、ボルトを挿通可能な挿通孔Ｈが形成されている。電源側接続部４１の挿通孔Ｈと機器側接続部４２の挿通孔Ｈとは同等の大きさとされている（図３参照）。
【００３２】
各導電板４０は、平面視において、電源側接続部４１および機器側接続部４２が垂直方向に延び、埋設部４３の中間部分が斜め方向に延びた形状をなしている。電源側接続部４１と機器側接続部４２とは軸線が略平行をなしている。また、電源側接続部４１から機器側接続部４２にわたり幅寸法は略一定とされている。なお、電源側接続部４１の上端の両角部は円弧状をなし、機器側接続部４２の下端の両角部は斜め形状をなしている。
【００３３】
各導電板４０は、図５に示すように、機器側接続部４２が電源側接続部４１よりも若干後側に位置するように、各導電板４０の埋設部４３に、板厚分程度の段差４４が形成されている。電源側接続部４１と機器側接続部４２とは、板面が略平行をなしている。
【００３４】
３本の導電板４０は、図３に示すように、左右方向に所定の間隔をあけるとともに、上下方向の位置が揃った状態で並べられている。
電源側接続部４１および機器側接続部４２は、図５に示すように、フランジ部２１に対して垂直方向に突出し、電源側接続部４１は、電源側ナット収容部２４の前面に配置され、機器側接続部４２は、機器側ナット収容部２６の後面に配置されている。電源側接続部４１および機器側接続部４２の位置は、３本の導電板４０において前後方向および上下方向にそれぞれ揃った状態で配置される。
【００３５】
電源側接続部４１および機器側接続部４２の挿通孔Ｈは、図３に示すように、左右方向に水平に並んで配置されている。電源側接続部４１および機器側接続部４２の挿通孔Ｈのピッチは一定であり、かつ電源側接続部４１のピッチと機器側接続部４２のピッチとは等しくされている。電源側接続部４１の挿通孔Ｈと機器側接続部４２の挿通孔Ｈとは、左右方向にずれて配されている。
【００３６】
埋設部４３は、ハウジング２０内において左右方向に所定の間隔をあけて位置している。また、埋設部４３は、前後方向の位置（板厚方向の位置）が揃った状態で配置されている。
【００３７】
隣り合う導電板４０の側縁４５同士、すなわち、導電板４０の側縁４５のうち垂直方向に延びる部分（以下、直部４５Ｔと称する）同士、斜め方向に延びる部分（以下、斜部４５Ｓと称する）同士は略平行とされている（図３参照）。隣り合う導電板４０の直部４５Ｔ間の間隔は、上端側および下端側において同等とされ、斜部４５Ｓ間の間隔は、それよりも小さくされている。
【００３８】
次に、上記のように構成された本実施形態の作用および効果について説明する。
本実施形態のコネクタＣは、３本の導電板４０がハウジング２０にインサート成形されたものであり、導電板４０のうちハウジング２０に埋め込まれる埋設部４３は、すべての導電板４０において同一形状の板状をなすすとともに、板厚方向の位置が揃うように並べて配置されている。
【００３９】
これにより、導電板４０のうちハウジング２０に埋め込まれる埋設部４３がシンプルな配置となっているから、ハウジング２０のうち導電板４０が埋め込まれる部分に、容易に肉抜き２８等を設けることができる。また、例えば、導電板のうちハウジングに埋め込まれる部分が直角に屈曲している場合に比して、ハウジング２０のうち導電板４０が埋め込まれる部分の前後方向の寸法（導電板４０の板厚方向の寸法）を小さくすることができる。
【００４０】
また、コネクタＣは、機器が収容されたケースに固定される機器用コネクタであり、導電板４０は、機器側端子金具Ｔと接続可能な機器側接続部４２と、ケースの外部に備えられた電源側端子金具と接続可能な電源側接続部４１と、を備え、導電板４０は、機器側接続部４２、電源側接続部４１を含む略全体が平板状をなしている。
【００４１】
これにより、導電板４０の形状が全体としてシンプルであるから、例えば、機器側接続部または電源側接続部が屈曲している場合に比して、ハウジング２０に肉抜きを設けることが容易となる。
【００４２】
また、すべての導電板４０において、機器側接続部４２、電源側接続部４１を含む略全体が同一形状とされている。これにより、異なる形状の導電板を備える場合に比して部品点数を減らすことができるから、コストの低減を図ることができる。
【００４３】
＜他の実施形態＞
本発明は上記記述及び図面によって説明した実施形態に限定されるものではなく、例えば次のような実施形態も本発明の技術的範囲に含まれる。
（１）上記実施形態では、本発明を、機器が収容されたケースに固定される機器用のコネクタＣに適用した場合について説明したが、本発明は、複数の導電部材がハウジングにインサート成形された各種コネクタに適用することができる。
（２）上記実施形態では、導電板４０は、機器側接続部４２、電源側接続部４１を含む略全体が平板状をなしているが、これに限らず、例えば、導電板は、埋設部のみが平板状をなし、機器側接続部または電源側接続部が屈曲されたものであってもよい。
（３）上記実施形態では、すべての導電板４０において、機器側接続部４２、電源側接続部４１を含む略全体が同一形状とされているが、これに限らず、例えば、導電板は、埋設部のみが同一形状をなし、機器側接続部または電源側接続部は異なる形状をなすものであってもよい。
【符号の説明】
【００４４】
Ｃ…コネクタ
Ｔ…機器側端子金具（機器側に備えられた端子金具）
２０…ハウジング
４０…導電板（導電部材）
４１…電源側接続部（外部側接続部）
４２…機器側接続部
４３…埋設部
【図１】
2015090832.tif 000003
【図２】
2015090832.tif 000004
【図３】
2015090832.tif 000005
【図４】
2015090832.tif 000006
【図５】
2015090832.tif 000007
【図６】
2015090832.tif 000008
【図７】
2015090832.tif 000009